(57)【要約】【課題】  回転電磁界を停止できるようにする。【解決手段】  信号源１１で生成したキャリアを分配器４１で２つに分配する。第１のキャリアは、可変電圧減衰器１２−１で、その振幅がcosΩｔの全波整流波で制御される。位相スイッチ１３−１によりキャリアの位相が振幅制御信号の源波形が１８０°変化するたびに反転される。可変電圧減衰器１２−２は、振幅制御信号sinΩｔの全波整流波で第２のキャリアの振幅を制御する。位相スイッチ１３−１，１３−２より出力された信号により、TEMセル４２で回転電磁界が生成される。可変電圧減衰器１２−１，１２−２の振幅制御信号のΩｔを一定の値にすることで、回転電磁界の回転を偏波角Ωｔで停止させることができる。【選択図】  図６
2006047055.tif 000002
【特許請求の範囲】
【請求項１】
キャリアを発生するキャリア発生手段と、
前記キャリアの振幅を制御する、変更自在な任意の位相の振幅制御信号を生成する振幅制御信号生成手段と、
前記振幅制御信号に基づいて前記キャリアの振幅を制御する振幅制御手段と、
前記振幅制御信号の１／２周期毎のタイミングで前記キャリアの位相を切り替える位相切替信号を生成する位相切替信号生成手段と、
前記位相切替信号に基づいて、振幅が制御される前または後の前記キャリアの位相を切り替える位相切替手段と
を備えることを特徴とする信号生成装置。
【請求項２】
前記振幅制御信号は、正弦波信号の全波整流波形の一部または全部からなる信号である
ことを特徴とする請求項１に記載の信号生成装置。
【請求項３】
前記振幅制御手段は、可変電圧減衰器である
ことを特徴とする請求項１に記載の信号生成装置。
【請求項４】
キャリアを発生するキャリア発生ステップと、
前記キャリアの振幅を制御する、変更自在な任意の位相の振幅制御信号を生成する振幅制御信号生成ステップと、
前記振幅制御信号に基づいて前記キャリアの振幅を制御する振幅制御ステップと、
前記振幅制御信号の１／２周期毎のタイミングで前記キャリアの位相を切り替える位相切替信号を生成する位相切替信号生成ステップと、
前記位相切替信号に基づいて、振幅が制御される前または後の前記キャリアの位相を切り替える位相切替ステップと
を含むことを特徴とする信号生成方法。
【請求項５】
キャリアを発生するキャリア発生ステップと、
前記キャリアの振幅を制御する、変更自在な任意の位相の振幅制御信号を生成する振幅制御信号生成ステップと、
前記振幅制御信号に基づいて前記キャリアの振幅を制御する振幅制御ステップと、
前記振幅制御信号の１／２周期毎のタイミングで前記キャリアの位相を切り替える位相切替信号を生成する位相切替信号生成ステップと、
前記位相切替信号に基づいて、振幅が制御される前または後の前記キャリアの位相を切り替える位相切替ステップと
をコンピュータに実行させることを特徴とするプログラム。
【請求項６】
キャリアを発生するキャリア発生手段と、
前記キャリアを第１のキャリアと第２のキャリアに分配する分配手段と、
前記第１のキャリアの振幅を制御する、変更自在な任意の位相の第１の振幅制御信号を生成する第１の振幅制御信号生成手段と、
前記第１の振幅制御信号に基づいて前記第１のキャリアの振幅を制御する第１の振幅制御手段と、
前記第２のキャリアの振幅を制御する、変更自在な任意の位相の第２の振幅制御信号を生成する第２の振幅制御信号生成手段と、
前記第２の振幅制御信号に基づいて前記第２のキャリアの振幅を制御する第２の振幅制御手段と、
前記第１の振幅制御信号の１／２周期毎のタイミングで前記第１のキャリアの位相を切り替える第１の位相切替信号を生成する第１の位相切替信号生成手段と、
前記第１の位相切替信号に基づいて、振幅が制御される前または後の前記第１のキャリアの位相を切り替える第１の位相切替手段と、
前記第２の振幅制御信号の１／２周期毎のタイミングで前記第２のキャリアの位相を切り替える第２の位相切替信号を生成する第２の位相切替信号生成手段と、
前記第２の位相切替信号に基づいて、振幅が制御される前または後の前記第２のキャリアの位相を切り替える第２の位相切替手段と
を備えることを特徴とする信号生成装置。
【請求項７】
前記第１の振幅制御信号と前記第２の振幅制御信号は、位相が相互に９０度ずれた正弦波信号の全波整流波形の一部または全部からなる信号である
ことを特徴とする請求項６に記載の信号生成装置。
【請求項８】
前記第１の振幅制御手段と前記第２の振幅制御手段は、それぞれ可変電圧減衰器である
ことを特徴とする請求項６に記載の信号生成装置。
【請求項９】
振幅と位相が制御された前記第１のキャリアと第２のキャリアに基づいて回転電磁界を発生する回転電磁界発生手段をさらに備える
ことを特徴とする請求項６に記載の信号生成装置。
【請求項１０】
キャリアを発生するキャリア発生ステップと、
前記キャリアを第１のキャリアと第２のキャリアに分配する分配ステップと、
前記第１のキャリアの振幅を制御する、変更自在な任意の位相の第１の振幅制御信号を生成する第１の振幅制御信号生成ステップと、
前記第１の振幅制御信号に基づいて前記第１のキャリアの振幅を制御する第１の振幅制御ステップと、
前記第２のキャリアの振幅を制御する、変更自在な任意の位相の第２の振幅制御信号を生成する第２の振幅制御信号生成ステップと、
前記第２の振幅制御信号に基づいて前記第２のキャリアの振幅を制御する第２の振幅制御ステップと、
前記第１の振幅制御信号の１／２周期毎のタイミングで前記第１のキャリアの位相を切り替える第１の位相切替信号を生成する第１の位相切替信号生成ステップと、
前記第１の位相切替信号に基づいて、振幅が制御される前または後の前記第１のキャリアの位相を切り替える第１の位相切替ステップと、
前記第２の振幅制御信号の１／２周期毎のタイミングで前記第２のキャリアの位相を切り替える第２の位相切替信号を生成する第２の位相切替信号生成ステップと、
前記第２の位相切替信号に基づいて、振幅が制御される前または後の前記第２のキャリアの位相を切り替える第２の位相切替ステップと、
を含むことを特徴とする信号生成方法。
【請求項１１】
キャリアを発生するキャリア発生ステップと、
前記キャリアを第１のキャリアと第２のキャリアに分配する分配ステップと、
前記第１のキャリアの振幅を制御する、変更自在な任意の位相の第１の振幅制御信号を生成する第１の振幅制御信号生成ステップと、
前記第１の振幅制御信号に基づいて前記第１のキャリアの振幅を制御する第１の振幅制御ステップと、
前記第２のキャリアの振幅を制御する、変更自在な任意の位相の第２の振幅制御信号を生成する第２の振幅制御信号生成ステップと、
前記第２の振幅制御信号に基づいて前記第２のキャリアの振幅を制御する第２の振幅制御ステップと、
前記第１の振幅制御信号の１／２周期毎のタイミングで前記第１のキャリアの位相を切り替える第１の位相切替信号を生成する第１の位相切替信号生成ステップと、
前記第１の位相切替信号に基づいて、振幅が制御される前または後の前記第１のキャリアの位相を切り替える第１の位相切替ステップと、
前記第２の振幅制御信号の１／２周期毎のタイミングで前記第２のキャリアの位相を切り替える第２の位相切替信号を生成する第２の位相切替信号生成ステップと、
前記第２の位相切替信号に基づいて、振幅が制御される前または後の前記第２のキャリアの位相を切り替える第２の位相切替ステップと、
をコンピュータに実行させることを特徴とするプログラム。
【請求項１２】
キャリアを発生するキャリア発生手段と、
前記キャリアを第１のキャリアと第２のキャリアに分配する分配手段と、
前記第１のキャリアの位相を９０度移相する移相手段と、
位相が９０度移相された前記第１のキャリアの振幅を制御する、変更自在な任意の位相の第１の振幅制御信号を生成する第１の振幅制御信号生成手段と、
位相が９０度移相された前記第１のキャリアの振幅を前記第１の振幅制御信号に基づいて制御する第１の振幅制御手段と、
前記第２のキャリアの振幅を制御する、変更自在な任意の位相の第２の振幅制御信号を生成する第２の振幅制御信号生成手段と、
前記第２の振幅制御信号に基づいて前記第２のキャリアの振幅を制御する第２の振幅制御手段と、
振幅が制御された前記第１のキャリアと前記第２のキャリアを合成する合成手段と
を備えることを特徴とする信号生成装置。
【請求項１３】
前記第１の振幅制御信号と前記第２の振幅制御信号は、それぞれ位相が９０度ずれた正弦波信号の全波整流波形の一部または全部からなる信号である
ことを特徴とする請求項１２に記載の信号生成装置。
【請求項１４】
前記第１の振幅制御手段と前記第２の振幅制御手段は、それぞれ可変電圧減衰器である
ことを特徴とする請求項１２に記載の信号生成装置。
【請求項１５】
キャリアを発生するキャリア発生ステップと、
前記キャリアを第１のキャリアと第２のキャリアに分配する分配ステップと、
前記第１のキャリアの位相を９０度移相する移相ステップと、
位相が９０度移相された前記第１のキャリアの振幅を制御する、変更自在な任意の位相の第１の振幅制御信号を生成する第１の振幅制御信号生成ステップと、
位相が９０度移相された前記第１のキャリアの振幅を前記第１の振幅制御信号に基づいて制御する第１の振幅制御ステップと、
前記第２のキャリアの振幅を制御する、変更自在な任意の位相の第２の振幅制御信号を生成する第２の振幅制御信号生成ステップと、
前記第２の振幅制御信号に基づいて前記第２のキャリアの振幅を制御する第２の振幅制御ステップと、
振幅が制御された前記第１のキャリアと前記第２のキャリアを合成する合成ステップと
を含むことを特徴とする信号生成方法。
【請求項１６】
キャリアを発生するキャリア発生ステップと、
前記キャリアを第１のキャリアと第２のキャリアに分配する分配ステップと、
前記第１のキャリアの位相を９０度移相する移相ステップと、
位相が９０度移相された前記第１のキャリアの振幅を制御する、変更自在な任意の位相の第１の振幅制御信号を生成する第１の振幅制御信号生成ステップと、
位相が９０度移相された前記第１のキャリアの振幅を前記第１の振幅制御信号に基づいて制御する第１の振幅制御ステップと、
前記第２のキャリアの振幅を制御する、変更自在な任意の位相の第２の振幅制御信号を生成する第２の振幅制御信号生成ステップと、
前記第２の振幅制御信号に基づいて前記第２のキャリアの振幅を制御する第２の振幅制御ステップと、
振幅が制御された前記第１のキャリアと前記第２のキャリアを合成する合成ステップと
をコンピュータに実行させることを特徴とするプログラム。
【発明の詳細な説明】
【技術分野】
【０００１】
本発明は、信号生成装置および方法並びにプログラムに関し、特に、スペクトルが任意に変化する両側波帯抑圧搬送波を、簡単かつ確実に生成できるようにした、信号生成装置および方法並びにプログラムに関する。
【背景技術】
【０００２】
電子機器が外来の妨害波を受けることで誤動作することがある。そこで、電子機器に対して模擬的に妨害波を与え、その電子機器のイミュニティ特性を測定するイミュニティ試験装置が知られている。
【０００３】
イミュニティ試験装置においては、内部に電子機器を収容し、任意の方向の偏波面（偏波角）を有する妨害波を被試験装置としての電子機器に加え、いずれの方向の偏波面（偏波角）の妨害波が影響するのかを知る必要があるため、比較的低速で回転する回転電磁界を発生させる必要がある。
【０００４】
本出願人は、この回転電磁界を５個の信号源を用いて発生させることを先に提案した（例えば、特許文献１）。
【特許文献１】特開２００３−９８２１１公報
【発明の開示】
【発明が解決しようとする課題】
【０００５】
しかしながら特許文献１に記載の方法は、５個の信号源を必要とするため、構成が複雑となる課題があった。
【０００６】
また、低速で回転させる電磁界を発生させることは可能であるが、任意の偏波角で回転を停止させることができない課題があった。
【０００７】
本発明はこのような状況に鑑みてなされたものであり、簡単な構成で、任意の速度の回転電磁界を発生することができるようにするものである。また、任意の偏波角で回転電磁界を停止させることができるようにするものである。
【課題を解決するための手段】
【０００８】
本発明の信号生成装置は、キャリアを発生するキャリア発生手段と、キャリアの振幅を制御する、変更自在な任意の位相の振幅制御信号を生成する振幅制御信号生成手段と、振幅制御信号に基づいてキャリアの振幅を制御する振幅制御手段と、振幅制御信号の１／２周期毎のタイミングでキャリアの位相を切り替える位相切替信号を生成する位相切替信号生成手段と、位相切替信号に基づいて、振幅が制御される前または後のキャリアの位相を切り替える位相切替手段とを備えることを特徴とする。
【０００９】
前記振幅制御信号は、正弦波信号の全波整流波形の一部または全部からなる信号であるようにすることができる。
【００１０】
前記振幅制御手段は、可変電圧減衰器であるようにすることができる。
【００１１】
本発明の信号生成方法は、キャリアを発生するキャリア発生ステップと、キャリアの振幅を制御する、変更自在な任意の位相の振幅制御信号を生成する振幅制御信号生成ステップと、振幅制御信号に基づいてキャリアの振幅を制御する振幅制御ステップと、振幅制御信号の１／２周期毎のタイミングでキャリアの位相を切り替える位相切替信号を生成する位相切替信号生成ステップと、位相切替信号に基づいて、振幅が制御される前または後のキャリアの位相を切り替える位相切替ステップとを含むことを特徴とする。
【００１２】
本発明のプログラムは、キャリアを発生するキャリア発生ステップと、キャリアの振幅を制御する、変更自在な任意の位相の振幅制御信号を生成する振幅制御信号生成ステップと、振幅制御信号に基づいてキャリアの振幅を制御する振幅制御ステップと、振幅制御信号の１／２周期毎のタイミングでキャリアの位相を切り替える位相切替信号を生成する位相切替信号生成ステップと、位相切替信号に基づいて、振幅が制御される前または後のキャリアの位相を切り替える位相切替ステップとをコンピュータに実行させることを特徴とする。
【００１３】
本発明の信号生成装置は、キャリアを発生するキャリア発生手段と、キャリアを第１のキャリアと第２のキャリアに分配する分配手段と、第１のキャリアの振幅を制御する、変更自在な任意の位相の第１の振幅制御信号を生成する第１の振幅制御信号生成手段と、第１の振幅制御信号に基づいて第１のキャリアの振幅を制御する第１の振幅制御手段と、第２のキャリアの振幅を制御する、変更自在な任意の位相の第２の振幅制御信号を生成する第２の振幅制御信号生成手段と、第２の振幅制御信号に基づいて第２のキャリアの振幅を制御する第２の振幅制御手段と、第１の振幅制御信号の１／２周期毎のタイミングで第１のキャリアの位相を切り替える第１の位相切替信号を生成する第１の位相切替信号生成手段と、第１の位相切替信号に基づいて、振幅が制御される前または後の第１のキャリアの位相を切り替える第１の位相切替手段と、第２の振幅制御信号の１／２周期毎のタイミングで第２のキャリアの位相を切り替える第２の位相切替信号を生成する第２の位相切替信号生成手段と、第２の位相切替信号に基づいて、振幅が制御される前または後の第２のキャリアの位相を切り替える第２の位相切替手段とを備えることを特徴とする。
【００１４】
前記第１の振幅制御信号と第２の振幅制御信号は、位相が相互に９０度ずれた正弦波信号の全波整流波形の一部または全部からなる信号であるようにすることができる。
【００１５】
前記第１の振幅制御手段と第２の振幅制御手段は、それぞれ可変電圧減衰器であるようにすることができる。
【００１６】
振幅と位相が制御された第１のキャリアと第２のキャリアに基づいて回転電磁界を発生する回転電磁界発生手段をさらに備えるようにすることができる。
【００１７】
本発明の信号生成方法は、キャリアを発生するキャリア発生ステップと、キャリアを第１のキャリアと第２のキャリアに分配する分配ステップと、第１のキャリアの振幅を制御する、変更自在な任意の位相の第１の振幅制御信号を生成する第１の振幅制御信号生成ステップと、第１の振幅制御信号に基づいて第１のキャリアの振幅を制御する第１の振幅制御ステップと、第２のキャリアの振幅を制御する、変更自在な任意の位相の第２の振幅制御信号を生成する第２の振幅制御信号生成ステップと、第２の振幅制御信号に基づいて第２のキャリアの振幅を制御する第２の振幅制御ステップと、第１の振幅制御信号の１／２周期毎のタイミングで第１のキャリアの位相を切り替える第１の位相切替信号を生成する第１の位相切替信号生成ステップと、第１の位相切替信号に基づいて、振幅が制御される前または後の第１のキャリアの位相を切り替える第１の位相切替ステップと、第２の振幅制御信号の１／２周期毎のタイミングで第２のキャリアの位相を切り替える第２の位相切替信号を生成する第２の位相切替信号生成ステップと、第２の位相切替信号に基づいて、振幅が制御される前または後の第２のキャリアの位相を切り替える第２の位相切替ステップとを含むことを特徴とする。
【００１８】
本発明のプログラムは、キャリアを発生するキャリア発生ステップと、キャリアを第１のキャリアと第２のキャリアに分配する分配ステップと、第１のキャリアの振幅を制御する、変更自在な任意の位相の第１の振幅制御信号を生成する第１の振幅制御信号生成ステップと、第１の振幅制御信号に基づいて第１のキャリアの振幅を制御する第１の振幅制御ステップと、第２のキャリアの振幅を制御する、変更自在な任意の位相の第２の振幅制御信号を生成する第２の振幅制御信号生成ステップと、第２の振幅制御信号に基づいて第２のキャリアの振幅を制御する第２の振幅制御ステップと、第１の振幅制御信号の１／２周期毎のタイミングで第１のキャリアの位相を切り替える第１の位相切替信号を生成する第１の位相切替信号生成ステップと、第１の位相切替信号に基づいて、振幅が制御される前または後の第１のキャリアの位相を切り替える第１の位相切替ステップと、第２の振幅制御信号の１／２周期毎のタイミングで第２のキャリアの位相を切り替える第２の位相切替信号を生成する第２の位相切替信号生成ステップと、第２の位相切替信号に基づいて、振幅が制御される前または後の第２のキャリアの位相を切り替える第２の位相切替ステップと、をコンピュータに実行させることを特徴とする。
【００１９】
本発明の信号生成装置は、キャリアを発生するキャリア発生手段と、キャリアを第１のキャリアと第２のキャリアに分配する分配手段と、第１のキャリアの位相を９０度移相する移相手段と、位相が９０度移相された第１のキャリアの振幅を制御する、変更自在な任意の位相の第１の振幅制御信号を生成する第１の振幅制御信号生成手段と、位相が９０度移相された第１のキャリアの振幅を第１の振幅制御信号に基づいて制御する第１の振幅制御手段と、第２のキャリアの振幅を制御する、変更自在な任意の位相の第２の振幅制御信号を生成する第２の振幅制御信号生成手段と、第２の振幅制御信号に基づいて第２のキャリアの振幅を制御する第２の振幅制御手段と、振幅が制御された第１のキャリアと第２のキャリアを合成する合成手段とを備えることを特徴とする。
【００２０】
前記第１の振幅制御信号と第２の振幅制御信号は、それぞれ位相が９０度ずれた正弦波信号の全波整流波形の一部または全部からなる信号であるようにすることができる。
【００２１】
前記第１の振幅制御手段と第２の振幅制御手段は、それぞれ可変電圧減衰器であるようにすることができる。
【００２２】
本発明の信号生成方法は、キャリアを発生するキャリア発生ステップと、キャリアを第１のキャリアと第２のキャリアに分配する分配ステップと、第１のキャリアの位相を９０度移相する移相ステップと、位相が９０度移相された第１のキャリアの振幅を制御する、変更自在な任意の位相の第１の振幅制御信号を生成する第１の振幅制御信号生成ステップと、位相が９０度移相された第１のキャリアの振幅を第１の振幅制御信号に基づいて制御する第１の振幅制御ステップと、第２のキャリアの振幅を制御する、変更自在な任意の位相の第２の振幅制御信号を生成する第２の振幅制御信号生成ステップと、第２の振幅制御信号に基づいて第２のキャリアの振幅を制御する第２の振幅制御ステップと、振幅が制御された第１のキャリアと第２のキャリアを合成する合成ステップとを含むことを特徴とする。
【００２３】
本発明のプログラムは、キャリアを発生するキャリア発生ステップと、キャリアを第１のキャリアと第２のキャリアに分配する分配ステップと、第１のキャリアの位相を９０度移相する移相ステップと、位相が９０度移相された第１のキャリアの振幅を制御する、変更自在な任意の位相の第１の振幅制御信号を生成する第１の振幅制御信号生成ステップと、位相が９０度移相された第１のキャリアの振幅を第１の振幅制御信号に基づいて制御する第１の振幅制御ステップと、第２のキャリアの振幅を制御する、変更自在な任意の位相の第２の振幅制御信号を生成する第２の振幅制御信号生成ステップと、第２の振幅制御信号に基づいて第２のキャリアの振幅を制御する第２の振幅制御ステップと、振幅が制御された第１のキャリアと第２のキャリアを合成する合成ステップとをコンピュータに実行させることを特徴とする。
【００２４】
本発明においては、変更自在な任意の位相の振幅制御信号に基づいて、キャリアの振幅が制御され、振幅が制御される前または後のキャリアの位相が、振幅制御信号の１／２周期毎のタイミングで切り替えられる。
【００２５】
また、本発明においては、第１の振幅制御信号に基づいて振幅が制御される前または後の第１のキャリアの位相が、第１の振幅制御信号の１／２周期毎のタイミングで切り替えられるとともに、第２の振幅制御信号に基づいて振幅が制御される前または後の第２のキャリアの位相が、第２の振幅制御信号１／２周期毎のタイミングで切り替えられる。
【００２６】
さらに、本発明においては、９０度移相された第１のキャリアの振幅が第１の振幅制御信号に基づいて制御されるとともに、第２のキャリアの振幅が第２の振幅制御信号に基づいて制御され、振幅が制御された第１のキャリアと第２のキャリアが合成される。
【発明の効果】
【００２７】
本発明によれば、信号を生成することができる。特に、簡単に、任意のスペクトルが任意に変化する両側波帯抑圧搬送波を生成することが可能となる。
【００２８】
また、本発明によれば、回転電磁界を発生させるための信号を生成することができる。特に、回転電磁界を所定の位相で停止させることが可能な信号を生成することが可能となる。
【００２９】
さらに本発明によれば、電磁波をランダムに変化させることが可能となるフェージングシミュレータを実現することが可能となる。
【発明を実施するための最良の形態】
【００３０】
以下に本発明の最良の形態を説明するが、開示される発明と実施の形態との対応関係を例示すると、次のようになる。明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３１】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００３２】
［請求項１］
キャリアを発生するキャリア発生手段（例えば、図４の信号源１１）と、
前記キャリアの振幅を制御する、変更自在な任意の位相の振幅制御信号を生成する振幅制御信号生成手段（例えば、図４の生成部２１）と、
前記振幅制御信号に基づいて前記キャリアの振幅を制御する振幅制御手段（例えば、図４の可変電圧減衰器１２）と、
前記振幅制御信号の１／２周期毎のタイミングで前記キャリアの位相を切り替える位相切替信号を生成する位相切替信号生成手段（例えば、図４の生成部２２）と、
前記位相切替信号に基づいて、振幅が制御される前または後の前記キャリアの位相を切り替える位相切替手段（例えば、図４の位相スイッチ１３）と
を備えることを特徴とする信号生成装置（例えば、図４の信号生成装置１）。
【００３３】
［請求項４］
キャリアを発生するキャリア発生ステップ（例えば、図５のステップＳ１）と、
前記キャリアの振幅を制御する、変更自在な任意の位相の振幅制御信号を生成する振幅制御信号生成ステップ（例えば、図５のステップＳ２）と、
前記振幅制御信号に基づいて前記キャリアの振幅を制御する振幅制御ステップ（例えば、図５のステップＳ３）と、
前記振幅制御信号の１／２周期毎のタイミングで前記キャリアの位相を切り替える位相切替信号を生成する位相切替信号生成ステップ（例えば、図５のステップＳ４）と、
前記位相切替信号に基づいて、振幅が制御される前または後の前記キャリアの位相を切り替える位相切替ステップ（例えば、図５のステップＳ５）と
を含むことを特徴とする信号生成方法（例えば、図５の信号生成処理方法）。
【００３４】
［請求項６］
キャリアを発生するキャリア発生手段（例えば、図６の信号源１１）と、
前記キャリアを第１のキャリアと第２のキャリアに分配する分配手段（例えば、図６の分配器４１）と、
前記第１のキャリアの振幅を制御する、変更自在な任意の位相の第１の振幅制御信号を生成する第１の振幅制御信号生成手段（例えば、図６の生成部２１Ａ）と、
前記第１の振幅制御信号に基づいて前記第１のキャリアの振幅を制御する第１の振幅制御手段（例えば、図６の可変電圧減衰器１２−１）と、
前記第２のキャリアの振幅を制御する、変更自在な任意の位相の第２の振幅制御信号を生成する第２の振幅制御信号生成手段（例えば、図６の生成部２１Ｂ）と、
前記第２の振幅制御信号に基づいて前記第２のキャリアの振幅を制御する第２の振幅制御手段（例えば、図６の可変電圧減衰器１２−２）と、
前記第１の振幅制御信号の１／２周期毎のタイミングで前記第１のキャリアの位相を切り替える第１の位相切替信号を生成する第１の位相切替信号生成手段（例えば、図６の生成部２２Ａ）と、
前記第１の位相切替信号に基づいて、振幅が制御される前または後の前記第１のキャリアの位相を切り替える第１の位相切替手段（例えば、図６の位相スイッチ１３−１）と、
前記第２の振幅制御信号の１／２周期毎のタイミングで前記第２のキャリアの位相を切り替える第２の位相切替信号を生成する第２の位相切替信号生成手段（例えば、図６の生成部２２Ｂ）と、
前記第２の位相切替信号に基づいて、振幅が制御される前または後の前記第２のキャリアの位相を切り替える第２の位相切替手段（例えば、図６の位相スイッチ１３−２）と、
を備えることを特徴とする信号生成装置（例えば、図６の信号生成装置３１）。
【００３５】
［請求項９］
振幅と位相が制御された前記第１のキャリアと第２のキャリアに基づいて回転電磁界を発生する回転電磁界発生手段（例えば、図６のＴＥＭセル４２）をさらに備える
ことを特徴とする請求項６に記載の信号生成装置。
【００３６】
［請求項１０］
キャリアを発生するキャリア発生ステップ（例えば、図９のステップＳ３１）と、
前記キャリアを第１のキャリアと第２のキャリアに分配する分配ステップ（例えば、図９のステップＳ３２）と、
前記第１のキャリアの振幅を制御する、変更自在な任意の位相の第１の振幅制御信号を生成する第１の振幅制御信号生成ステップ（例えば、図９のステップＳ３３）と、
前記第１の振幅制御信号に基づいて前記第１のキャリアの振幅を制御する第１の振幅制御ステップ（例えば、図９のステップＳ３４）と、
前記第２のキャリアの振幅を制御する、変更自在な任意の位相の第２の振幅制御信号を生成する第２の振幅制御信号生成ステップ（例えば、図９のステップＳ３５）と、
前記第２の振幅制御信号に基づいて前記第２のキャリアの振幅を制御する第２の振幅制御ステップ（例えば、図９のステップＳ３６）と、
前記第１の振幅制御信号の１／２周期毎のタイミングで前記第１のキャリアの位相を切り替える第１の位相切替信号を生成する第１の位相切替信号生成ステップ（例えば、図９のステップＳ３７）と、
前記第１の位相切替信号に基づいて、振幅が制御される前または後の前記第１のキャリアの位相を切り替える第１の位相切替ステップ（例えば、図９のステップＳ３８）と、
前記第２の振幅制御信号の１／２周期毎のタイミングで前記第２のキャリアの位相を切り替える第２の位相切替信号を生成する第２の位相切替信号生成ステップ（例えば、図９のステップＳ３９）と、
前記第２の位相切替信号に基づいて、振幅が制御される前または後の前記第２のキャリアの位相を切り替える第２の位相切替ステップ（例えば、図９のステップＳ４０）と、
を含むことを特徴とする信号生成方法（例えば、図９の信号生成処理方法）。
【００３７】
［請求項１２］
キャリアを発生するキャリア発生手段（例えば、図１６の信号源１１）と、
前記キャリアを第１のキャリアと第２のキャリアに分配する分配手段（例えば、図１６の分配器４１）と、
前記第１のキャリアの位相を９０度移相する移相手段（例えば、図１６の９０度移相器１２１）と、
位相が９０度移相された前記第１のキャリアの振幅を制御する、変更自在な任意の位相の第１の振幅制御信号を生成する第１の振幅制御信号生成手段（例えば、図１６の生成部２１Ａ）と、
位相が９０度移相された前記第１のキャリアの振幅を前記第１の振幅制御信号に基づいて制御する第１の振幅制御手段（例えば、図１６の可変電圧減衰器２１−１）と、
前記第２のキャリアの振幅を制御する、変更自在な任意の位相の第２の振幅制御信号を生成する第２の振幅制御信号生成手段（例えば、図１６の生成部２１Ｂ）と、
前記第２の振幅制御信号に基づいて前記第２のキャリアの振幅を制御する第２の振幅制御手段（例えば、図１６の可変電圧減衰器２１−２）と、
振幅が制御された前記第１のキャリアと前記第２のキャリアを合成する合成手段（例えば、図１６の合成器１２２）と
を備えることを特徴とする信号生成装置（例えば、図１６の信号生成装置１１１）。
【００３８】
［請求項１５］
キャリアを発生するキャリア発生ステップ（例えば、図１７のステップＳ６１）と、
前記キャリアを第１のキャリアと第２のキャリアに分配する分配ステップ（例えば、図１７のステップＳ６２）と、
前記第１のキャリアの位相を９０度移相する移相ステップ（例えば、図１７のステップＳ６３）と、
位相が９０度移相された前記第１のキャリアの振幅を制御する、変更自在な任意の位相の第１の振幅制御信号を生成する第１の振幅制御信号生成ステップ（例えば、図１７のステップＳ６４）と、
位相が９０度移相された前記第１のキャリアの振幅を前記第１の振幅制御信号に基づいて制御する第１の振幅制御ステップ（例えば、図１７のステップＳ６５）と、
前記第２のキャリアの振幅を制御する、変更自在な任意の位相の第２の振幅制御信号を生成する第２の振幅制御信号生成ステップ（例えば、図１７のステップＳ６６）と、
前記第２の振幅制御信号に基づいて前記第２のキャリアの振幅を制御する第２の振幅制御ステップ（例えば、図１７のステップＳ６７）と、
振幅が制御された前記第１のキャリアと前記第２のキャリアを合成する合成ステップ（例えば、図１７のステップＳ６８）と
を含むことを特徴とする信号生成方法（例えば、図１７の信号生成処理方法）。
【００３９】
次に、図面を参照して、本発明の実施の形態について説明する。
【００４０】
回転電磁界を発生するには、図１に示されるように、信号Ｅ（ωｔ）が必要となる。
【００４１】
角周波数ωの高周波電磁波の偏波角が非常に低い角周波数Ωで、２次元平面上をゆっくり回転するものとすると、信号Ｅ（ωｔ）は、図１に示されるｘｙ座標系において、次式で表されるように、各軸方向の成分にＥｘ，Ｅｙに分解される。
【００４２】
Ｅｘ＝ＥcosΩｔsinωｔ      ・・・（１）
Ｅｙ＝ＥsinΩｔsinωｔ      ・・・（２）
【００４３】
これらの式で表される信号は、両側波帯抑圧搬送波信号（Double Side Band Suppressed Carrier(DSB-SC)）となり、その周波数スペクトラムは、図２に示されるようになる。
【００４４】
この両側波帯抑圧搬送波は、例えば、２重平衡混合回路（Double Balanced Mixer(DBM)）などにより搬送波と信号波を混合することで生成される。この原理が図３に示されている。即ち、搬送波Ｃに信号波Ｓを２重平衡混合回路により混合することで、両側波帯抑圧搬送波Ｄが得られる。
【００４５】
両側波帯抑圧搬送波の波形は、信号波Ｓで変調した包絡線を有し、信号波Ｓの位相が変化するとき（位相の極性が１８０度変化するとき）、搬送波の位相が逆転する特性を有している。換言すれば、搬送波Ｃは過変調AM変調波となる。
【００４６】
係る原理に基づいて、本発明においては、両側波帯抑圧搬送波が図４に示されるような信号生成装置により生成される。
【００４７】
この信号生成装置１は、信号源１１、可変電圧減衰器（Variable Voltage Attenuator(VVA)）１２、位相スイッチ１３、制御部１４、およびプログラマブルコントローラ１５により構成される。信号源１１は、一定の角周波数ωのキャリア（搬送波）を生成し、可変電圧減衰器１２に出力する。可変電圧減衰器１２は、プログラマブルコントローラ１５から入力される振幅制御信号（制御電圧）に基づいて、信号源１１より供給されるキャリアの振幅を制御する。この可変電圧減衰器１２としては、例えば米国のMini-Circuit社のVoltage Variable Attenuator RVA-2500を用いることができる。位相スイッチ１３は、プログラマブルコントローラ１５より供給される位相切替制御信号に基づいて、可変電圧減衰器１２より入力されるキャリアの位相を切り替えて出力する。
【００４８】
制御部１４は、例えば、パーソナルコンピュータなどにより構成され、ユーザからの指示に基づいて、プログラマブルコントローラ１５を制御する。プログラマブルコントローラ１５は、可変電圧減衰器１２を制御する振幅制御信号を生成する生成部２１と、位相スイッチ１３を制御する位相切替制御信号を生成する生成部２２を有している。生成部２１と生成部２２は、制御部１４からの制御に基づいて、任意の位相と周波数の振幅制御信号または位相切替制御信号を生成し、可変電圧減衰器１２または位相スイッチ１３に出力する。生成部２２は生成部２１と同期して動作しており、生成部２１が生成する振幅制御信号の位相が１８０度変化する毎に、可変電圧減衰器１２からのキャリアの位相を反転させる位相切替制御信号を生成する。
【００４９】
なお、図４における可変電圧減衰器１２と位相スイッチ１３の順序は逆であってもよい（従って、後述する図６においても同様）。即ち、位相スイッチ１３により位相が切り替えられた後に、可変電圧減衰器１２により振幅を制御するようにしてもよい。
【００５０】
次に、図５のフローチャートを参照して、図４の信号生成装置１の信号生成処理について説明する。ステップＳ１において、信号源１１は、角周波数ωのキャリアを発生する。このキャリアは、可変電圧減衰器１２に供給される。ステップＳ２において、プログラマブルコントローラ１５の生成部２１は、制御部１４からの制御に基づいて周期関数波を生成する。生成部２１は、例えば、その一部または全部がsinΩｔの正弦波信号の全波整流波形からなる振幅制御信号を生成する。生成部２１がどのような周期関数を生成するかは、制御部１４が、ユーザの指示に基づいて指定する。生成部２１により生成された振幅制御信号は、可変電圧減衰器１２に入力される。可変電圧減衰器１２は、ステップＳ３において、ステップＳ２で生成された周期関数で振幅を制御する。即ち、可変電圧減衰器１２は、信号源１１より入力されたキャリアsinωｔの振幅を、生成部２１より供給された振幅制御信号sinΩｔの全波整流波形（正の電圧波形）で制御する。
【００５１】
なお、生成部２１が生成する振幅制御信号は正弦波の全波整流波形が基本であるが、正弦波の１／２周期または１／４周期の部分だけを可変電圧減衰器１２に供給するようにしてもよい。１／４周期の信号は、これを折り返すことで、１／２周期の信号とすることができ、可変電圧減衰器１２において実質的に正弦波の全波整流波の振幅制御信号と同様に動作するからである。
【００５２】
生成部２２は、ステップＳ４において、周期関数波の１８０度の位相で位相スイッチの位相切替制御信号を生成する。具体的には、生成部２１が生成する振幅制御信号である正弦波が０度乃至１８０度の期間正であり、１８０度乃至３６０度の期間負であるとして、正である期間（０度乃至１８０度の範囲の期間）、論理１であり、負である期間（１８０度乃至３６０度の範囲の期間）、論理０である位相切替制御信号を生成する。生成された位相切替制御信号は、位相スイッチ１３に供給される。ステップＳ５において、位相スイッチ１３は、周期関数の１８０度の位相でキャリアの位相を切り替える。即ち、位相スイッチ１３は、可変電圧減衰器１２より供給されるキャリアの位相を、位相切替制御信号が論理１である場合にはそのままとし、論理０である場合には反転させる。これにより、図３を参照して説明した場合と同様に、信号波Ｓの極性が反転する毎に搬送波Ｃの極性が判定する両側波帯抑圧搬送波Ｄを生成することが可能となる。
【００５３】
図６は、図４に示される装置で生成される両側波帯抑圧搬送波に基づいて回転電磁界を発生するための信号を生成する信号生成装置の構成例を表している。この信号生成装置３１は、２つのキャリアについて、図４の装置と同様の処理を行うように構成されている。即ち、信号生成装置３１は、信号源１１、分配器４１、可変電圧減衰器１２−１，１２−２、位相スイッチ１３−１，１３−２、制御部１４、プログラマブルコントローラ１５、並びにTEM（Transverse Electromagnetic）セル４２により構成されている。
【００５４】
分配器４１は、信号源１１により生成された１つのキャリアを２つのキャリアに分配する。分配器４１により生成された第１のキャリアは、可変電圧減衰器１２−１と位相スイッチ１３−１により振幅と位相が制御された後、TEMセル４２に供給される。また、分配器４１により生成された第２のキャリアは、可変電圧減衰器１２−２と位相スイッチ１３−２により振幅と位相が処理された後、TEMセル４２に供給される。プログラマブルコントローラ１５は、生成部２１Ａ，２１Ｂ，２２Ａ，２２Ｂを有する。生成部２１Ａは、可変電圧減衰器１２−１を制御する振幅制御信号を生成し、生成部２１Ｂは、可変電圧減衰器１２−２を制御する振幅制御信号を生成する。生成部２１Ｂが生成する振幅制御信号は、生成部２１Ａが生成する振幅制御信号と位相が９０度ずれるようにして同期している。生成部２２Ａは、生成部２１Ａが生成する振幅制御信号の位相が１８０度変化する毎に、キャリアの位相を切り替える位相切替制御信号を生成し、位相スイッチ１３−１に供給する。生成部２２Ｂは、生成部２１Ｂが生成する振幅制御信号の位相が１８０度変化する毎にキャリアの位相を切り替える位相切替制御信号を生成し、位相スイッチ１３−２に供給する。従って、生成部２２Ｂが生成する位相切替制御信号も、生成部２２Ａが生成する位相切替制御信号に対して、位相が９０度ずれて同期している。TEMセル４２は、位相スイッチ１３−１，１３−２から供給されたキャリアに基づいて回転電磁界を発生する。
【００５５】
すなわち、TEMセル４２は、例えば、図７と図８に示されるように構成されている。TEMセル４２はその内部に、上下に配置されたセプテム６１，６２と、左右に配置されたセプテム６３，６４を有している。位相スイッチ１３−１より出力された第１のキャリアは、上側のセプテム６１と下側のセプテム６２の間に印加され、位相スイッチ１３−２より出力された第２のキャリアは、左側のセプテム６３と右側のセプテム６４との間に印加される。これにより、セプテム６１，６２の間に回転電磁界のｙ座標成分Ｅｙが生成され、セプテム６３，６４の間にｘ座標成分Ｅｘが生成される。その結果、セプテム６１乃至６４の内部に回転電磁界Ｅが生成される。
【００５６】
次に、図９のフローチャートを参照して、図６の信号生成装置３１の信号生成処理について説明する。ステップＳ３１において、信号源１１は、キャリアを生成する。具体的には、角周波数ωのキャリアsinωｔが生成される。分配器４１は、ステップＳ３２においてキャリアを分配する。即ち、分配器４１は、信号源１１より供給されたキャリアを第１のキャリアと第２のキャリアに分配し、第１のキャリアを可変電圧減衰器１２−１に出力し、第２のキャリアを可変電圧減衰器１２−２に出力する。
【００５７】
プログラマブルコントローラ１５の生成部２１Ａは、ステップＳ３３において、第１の周期関数波を生成する。即ち、生成部２１Ａは、正弦波信号（余弦波信号）cosΩｔの全波整流波形を生成し、可変電圧減衰器１２−１に出力する。ステップＳ３４において、可変電圧減衰器１２−１は、第１の周期関数波で振幅を制御する。即ち、生成部２１Ａより供給された信号cosΩｔの全波整流波形に基づいて、分配器４１より供給されたキャリアsinωｔの振幅が制御される。
【００５８】
ステップＳ３５において、生成部２１Ｂは、第２の周期関数波を生成する。この第２の周期関数波は、ステップＳ３３において、生成部２１Ａにより生成された第１の周期関数波と位相が９０度ずれている。即ち、この実施の形態の場合、生成部２１Ｂは、第２の周期関数波として正弦波信号sinΩｔの全波整流波形を生成し、可変電圧減衰器１２−２に出力する。ステップＳ３６において、可変電圧減衰器１２−２は、第２の周期関数波で振幅を制御する。即ち、生成部２１Ｂより供給された振幅制御信号sinΩtの全波整流波形に基づいて、分配器４１より入力されたキャリアsinωtの振幅が制御される。
【００５９】
ステップＳ３７において、生成部２２Ａは、第１の周期関数波の源波形が１８０度の位相で位相スイッチの位相切替制御信号を生成する。具体的には、生成部２２Ａは、生成部２１Ａが生成する振幅制御信号の源波形cosΩｔが０度乃至９０度、２７０度乃至３６０度の期間正であり、９０度乃至２７０度の期間負であるとして、正である場合論理１、負である場合論理０の位相切替制御信号を生成し、位相スイッチ１３−１に出力する。ステップＳ３８において、位相スイッチ１３−１は、第１の周期関数の１８０度の位相でキャリアの位相を切り替える。即ち、生成部２２Ａより供給された位相切替制御信号が論理１である場合、位相スイッチ１３−１は、可変電圧減衰器１２−１より供給されたキャリアの位相をそのままとし、論理１である場合、キャリアの位相を反転させる（１８０度移相させる）。
【００６０】
ステップＳ３９において、生成部２２Ｂは、第２の周期関数波の源波形が１８０度の位相で位相スイッチの位相切替制御信号を生成する。具体的には、生成部２２Ｂは、生成部２１Ｂが生成する振幅制御信号の源波形sinΩｔが０度乃至１８０度の期間正、１８０度乃至３６０度の期間負であるとして、正である期間論理１、負である期間論理０の位相切替制御信号を生成し、位相スイッチ１３−２に出力する。位相スイッチ１３−２は、ステップＳ４０で、第２の周期関数の源波形の１８０度の位相でキャリアの位相を切り替える。即ち、位相スイッチ１３−２は、生成部２２Ｂより供給される位相切替制御信号が論理１である場合、可変電圧減衰器１２−２により供給されるキャリアの位相をそのままとし、論理０である場合、キャリアの位相を反転させる。
【００６１】
ステップＳ４１において、TEMセル４２は電磁界を発生する。即ち、位相スイッチ１３−１より供給された第１のキャリアが左右に対向して配置されたセプテム６３とセプテム６４の間に印加され、電磁界Ｅｘが生成される。同様に、位相スイッチ１３−２より出力された第２のキャリアが上下に対向して配置されたセプテム６１とセプテム６２の間に印加され、電磁界Ｅｙが生成される。この電磁界Ｅｘと電磁界Ｅｙは、上述したように、式（１）と式（２）で表される関係にあるため、セプテム６１乃至６４の内部の空間に電磁界Ｅ（ωｔ）が合成される。そして、この電磁界は２π／Ωで表される周期で回転する。具体的には、ωの周波数は１００MHzのオーダーであるのに対して、Ωは、０．１乃至１Hzのオーダーとすることができる。この場合、Ω／ωの値は、１０-5より小さい値となる（Ωはωに較べて充分小さい値となる）。
【００６２】
但し、Ω，ωの値は任意であり、本発明はΩがωに較べてそれ程小さくない場合にも適用が可能である。
【００６３】
ステップＳ３３とステップＳ３５で生成する周期関数波を一時的に所定の値に固定することで、式（１）と式（２）の振幅成分を一定の値（固定値）とすることができる（ＥcosΩｔとＥsinΩｔの値を一定とすることができる）。これにより、電磁界の回転が停止され、一定の方向の偏波面（偏波角）を有する電磁界が発生される。従って、セプテム６１乃至６４で構成される空間の内部に測定対象としての電子機器を配置することで、充分な時間をかけてイミュニティ試験を行うことができる。
【００６４】
この他、生成部２１Ａと生成部２１Ｂにより生成する振幅制御信号を適宜制御することで、位相スイッチ１３−１と位相スイッチ１３−２より、図１０Ａと図１０Ｂに示されるような信号を生成させることで、図１０Ｃに示されるように、偏波面（偏波角）が等速円運動で回転する電磁界を生成することができる。
【００６５】
あるいはまた、生成部２１Ａ，２１Ｂにより生成する振幅制御信号を不規則に変化する信号とすることで、位相スイッチ１３−１，１３−２より出力される信号を、図１１Ａと図１１Ｂに示されるような信号とし、図１１Ｃに示されるように周期的に偏波角が変動しながら回転する回転電磁界を生成することができる。
【００６６】
また、生成部２１Ａ，２１Ｂにより生成する振幅制御信号を乱数的に変化させるようにし、位相スイッチ１３−１，１３−２より出力される信号を、図１２Ａと図１２Ｂに示されるようにすることで、図１２Ｃに示されるような偏波角が微小に変化す回転電磁界を発生することができる。
【００６７】
さらに、図１３に示されるように、生成部２１Ａ，２１Ｂで生成される振幅制御信号を適宜設定し、位相スイッチ１３−１，１３−２より出力される信号を図１３Ａと図１３Ｂに示されるような信号とすることで、図１３Ｃに示されるような楕円で回転する電磁界を発生することができる。このとき、偏波角は、図１３Ｄに示されるように変化する。
【００６８】
位相スイッチ１３−１，１３−２より出力された信号をTEMセル４２に代えて、例えば、図１４に示されるように、エレメント９１，９２が所定の角度α（例えば、４５度）で交差するアンテナ８１に供給することもできる。この場合、生成部２１Ａ，２１Ｂで生成する振幅制御信号を適宜制御することにより、位相スイッチ１３−１，１３−２より出力される信号を式（３）と式（４）で表されるようにすることで、回転電磁界を発生させることができる。
【００６９】
Ｅｘ＝（Ｅ／sinα）cosΩｔsinωｔ      ・・・（３）
Ｅｙ＝Ｅ（sinΩｔ−tanαcosΩｔ）sinωｔ      ・・・（４）
【００７０】
例えば、生成部２１Ａ，２１Ｂにより生成される振幅制御信号を適宜制御することにより、位相スイッチ１３−１，１３−２より、図１５Ａと図１５Ｂに示されるような信号を出力させることで、図１５Ｃに示されるようにアンテナの方向を座標軸とする斜交軸では楕円回転しているが、実際の空間では図１５Ｄに示されるように円回転する偏波面
（偏波角）を生成することができる。
【００７１】
可変電圧減衰器１２は、その振幅制御信号（制御電圧）をコンピュータで生成した任意の波形の振幅制御信号に基づいて制御することで、任意の特性を実現することができる。これを利用して、フェージングシミュレータを実現することができる。図１６は、この場合の構成例を表している。
【００７２】
即ち、この信号生成装置１１１は、信号源１１、分配器４１、９０度移相器１２１、可変電圧減衰器１２−１，１２−２、制御部１４、プログラマブルコントローラ１５、および合成器１２２により構成されている。分配器４１は、信号源１１により生成されたキャリアを、第１のキャリアと第２のキャリアに分配する。第１のキャリアは９０度移相器１２１に供給され、第２のキャリアは可変電圧減衰器１２−１に供給される。９０度移相器１２１は、入力された第１のキャリアの位相を９０度だけ移相し、可変電圧減衰器１２−２に出力する。合成器１２２は、可変電圧減衰器１２−２より供給された第１のキャリアと、可変電圧減衰器１２−１より供給された第２のキャリアとを合成する。プログラマブルコントローラ１５の生成部２１Ａは、振幅制御信号cosθ（ｔ）を生成し、可変電圧減衰器１２−１に出力する。また、生成部２１Ｂは、振幅制御信号sinθ（ｔ）を生成し、可変電圧減衰器１２−２に出力する。
【００７３】
次に、図１７のフローチャートを参照して、図１６の信号生成装置１１１の信号生成処理について説明する。ステップＳ６１において、信号源１１はキャリアを発生する。ステップＳ６２において、分配器４１は、信号源１１により生成されたキャリアを第１のキャリアと第２のキャリアに分配する。ステップＳ６３において、９０度移相器１２１は、分配器４１より供給された第１のキャリアを９０度移相する。ステップＳ６４において、生成部２１Ａは、第１の周期関数波を生成する。具体的には、生成部２１Ａは、振幅制御信号sinθ（ｔ）の全波整流波を生成する。ステップＳ６５において、可変電圧減衰器１２−１は、第１の周期関数波で第１のキャリアの振幅を制御する。具体的には、可変電圧減衰器１２−１は、９０度移相器１２１より供給された第１のキャリアを生成部２１Ａにより生成された振幅制御信号sinθ（ｔ）の全波整流波で、その振幅を制御する。
【００７４】
ステップＳ６６において、生成部２１Ｂは、第２の周期関数波を生成する。具体的には、cosθ（ｔ）の全波整流波が振幅制御信号として生成される。ステップＳ６７において可変電圧減衰器１２−２は、第２の周期関数波で第２のキャリアの振幅を制御する。即ち、可変電圧減衰器１２−２は、振幅制御信号cosθ（ｔ）の全波整流波により分配器４１より供給された第２のキャリアの振幅を制御する。ステップＳ６８で、合成器１２２は、可変電圧減衰器１２−１より供給された第１のキャリアと、可変電圧減衰器１２−２より供給された第２のキャリアを合成する。
【００７５】
即ち、以上の処理は、角周波数がωのキャリアを伝搬遅延による遅れ成分の位相をθ（ｔ）とした場合における次式で表される処理を実行していることになる。
【００７６】
ｆ（ｔ）＝Ｅsin｛ωｔ＋θ（ｔ）｝
＝Ｅ｛cosθ（ｔ）sinωｔ＋sinθ（ｔ）cosωｔ｝
＝Ｅ｛ｔcosθ（ｔ）sinω＋sinθ（ｔ）sin（ωｔ−９０°）｝    ・・・（５）
【００７７】
さらに、上記図１６の装置において、生成部２１Ａが生成する振幅制御信号をｇ（ｔ）sinθ（ｔ）とし、生成部２１Ｂが生成する振幅制御信号をｇ（ｔ）cosθ（ｔ）とすることで、振幅変化をｇ（ｔ）とし、かつ伝搬遅延をθ（ｔ）とした場合のフェージングシミュレーションも可能となる。
【００７８】
なお、図１４のアンテナ８１を、例えば携帯型のパーソナルコンピュータなどに組み込み、偏波方向を適宜変更しながらホームルータと通信し、最適な偏波面の方向(偏波角)を検知するようにすることで、パーソナルコンピュータを配置する場所に拘わらず、常に確実にホームルータと通信するようにすることが可能となる。
【００７９】
なお、可変電圧減衰器１２は、抵抗器で構成した可変減衰器とすることも理論的には可能であるが、その場合、微細な減衰量の調整が困難となる。そこで、電圧に応じて微細に減衰量を調整可能な可変電圧減衰器を用いるようにすることが好ましい。
【００８０】
本発明は、この他、ICタグ、携帯電話機、その他の電子機器であって、ISMバンド（Industrial Scientific Medical Band）や、微小電力で無線通信する各種の電子機器に適用することが可能である。
【００８１】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００８２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００８３】
また、本明細書において、システムとは、複数の装置により構成される装置全体を表すものである。
【産業上の利用可能性】
【００８４】
本発明は、イミュニティ試験装置に適用することができる。
【図面の簡単な説明】
【００８５】
【図１】回転電磁界を説明する図である。
【図２】両側波帯抑圧搬送波のスペクトルを示す図である。
【図３】両側波帯抑圧搬送波の生成の原理を説明する図である。
【図４】本発明を適用した信号生成装置の構成例を示すブロック図である。
【図５】図４の装置の信号生成処理を説明するフローチャートである。
【図６】本発明を適用した他の信号生成装置の構成例を示すブロック図である。
【図７】TEMセルの構成を示す斜視図である。
【図８】図７のTEMセルの中央断面の構成を示す断面図である。
【図９】図６の信号生成装置の信号生成処理を説明するフローチャートである。
【図１０】等速円運動で回転する偏波角を説明する図である。
【図１１】周期的に偏波角変動をしながら回転する偏波角を説明する図である。
【図１２】微小に変化する偏波角を説明する図である。
【図１３】楕円で周期的に変化する偏波面を説明する図である。
【図１４】アンテナの構成を示す図である。
【図１５】斜交するアンテナで生成される偏波面を説明する図である。
【図１６】本発明を適用した信号生成装置の構成例を示すブロック図である。
【図１７】図１６の装置の信号生成処理を説明するフローチャートである。
【符号の説明】
【００８６】
１１  信号源
１２  可変電圧減衰器
１３  位相スイッチ
１４  制御部
１５  プログラマブルコントローラ
２１，２２  生成部
４１  分配器
４２  TEMセル
【図１】
2006047055.tif 000003
【図２】
2006047055.tif 000004
【図３】
2006047055.tif 000005
【図４】
2006047055.tif 000006
【図５】
2006047055.tif 000007
【図６】
2006047055.tif 000008
【図７】
2006047055.tif 000009
【図８】
2006047055.tif 000010
【図９】
2006047055.tif 000011
【図１０】
2006047055.tif 000012
【図１１】
2006047055.tif 000013
【図１２】
2006047055.tif 000014
【図１３】
2006047055.tif 000015
【図１４】
2006047055.tif 000016
【図１５】
2006047055.tif 000017
【図１６】
2006047055.tif 000018
【図１７】
2006047055.tif 000019